【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
タワー用基礎システムにおいて、
−  中心シャフト（１）であって、前記中心シャフトの中心鉛直軸が前記タワー（２４）の鉛直軸（２２）と基本的に合致するように、前記タワー（２４）のベース部の下に配置され、設置状態で完全にまたは部分的に埋設される中心シャフト（１）と、
−  基本的に強化コンクリートまたはプレストレストコンクリートでできており、設置状態で完全に埋設されるように前記中心シャフト（１）の下に配置される下部スラブ（４）であって、その構成が基本的に平板状であり、それにより、最大水平寸法がその最大鉛直寸法を超える、下部スラブ（４）と、
−  設置状態で完全にまたは部分的に埋設され、少なくとも３つのストラット（２）であって、その上端で前記中心シャフト（１）に連結される少なくとも３つのストラット（２）および／または少なくとも３つのストラップタイプの張力ストラット（２５）であって、その上端で前記中心シャフト（１）もしくは前記タワー（２４）に連結される少なくとも３つのストラップタイプの張力ストラット（２５）を含み、前記ストラット（２、２５）は、直線状のまたは傾斜した構成の要素であり、前記ストラット（２、２５）の長手方向寸法は最大横寸法を超え、および両端が異なる高さ位置にあり、それにより、前記上端が下端よりも前記タワー（２）の前記鉛直軸（２２）に近い、横支持手段と
を含むことを特徴とする、タワー用基礎システム。
【請求項２】
２つの端部を有する、直線状構成の少なくとも１つのリブ（３）であって、その最大長手方向寸法がその最大横寸法よりも大きい、少なくとも１つのリブ（３）をさらに含み、前記リブ（３）は、少なくとも１つのストラット（２）の前記下端と、前記下部スラブ（４）とに取り付けられたままであり、および前記リブ（３）は、少なくとも１つの端部が、前記リブ（３）の残りの非端点と比べて前記タワーの前記鉛直軸（２２）から最も遠いように横に突出することを特徴とする、請求項１に記載のタワー用基礎システム。
【請求項３】
直線状構成の少なくとも１つの周縁梁（９）、上部梁（１１）、または底部梁（１０）であって、その最大長手方向寸法がその最大横寸法よりも大きい、少なくとも１つの周縁梁（９）、上部梁（１１）、または底部梁（１０）を含み、前記少なくとも１つの周縁梁（９）、上部梁（１１）、または底部梁（１０）は、前記下部スラブ（４）と、少なくとも１つのリブ（３）またはストラット（２）とに取り付けられたままであり、前記周縁梁は、前記中心シャフトから離れた状態に保たれ、および前記下部スラブ（４）の中心に対
する前記周縁梁の位置が半径方向でないように、基本的に円周方向に配置されることを特徴とする、請求項１または２に記載のタワー用基礎システム。
【請求項４】
少なくとも１つのストラット（２、２５）の前記下端は、（下部スラブ（４）、リブ（３）、または周縁梁（９）であることができる）前記基礎システムの少なくとも１つの下部要素（３９）に連結されたままであり、前記中心シャフト（１）と、前記下部スラブ（４）と、各ストラット（２）との間に位置する、基本的に三角形でありかつ中空の１つの領域の範囲を限定することを特徴とする、請求項１〜３のいずれか一項に記載の基礎システム。
【請求項５】
少なくとも１つのストラット（２）および／または少なくとも１つのリブ（３）および／または少なくとも周縁梁（９）からなる少なくとも一組の部片が、連結部によって前記中心シャフト（１）または前記タワー（２４）に連結される単一の一体化支持部片（１５）に統合されることを特徴とする、請求項１〜４のいずれか一項に記載のタワー用基礎システム。
【請求項６】
前記中心シャフト（１）は、実質的に水平でありかつ平板状の上部閉鎖スラブ（１４）を含み、前記上部閉鎖スラブ（１４）は、前記中空の中心シャフト（１）の壁に連結されたままであり、かつコンクリート、鋼、またはそれらの組み合わせで事前に作製されるか、または現場で構築されることと、前記上部閉鎖スラブ（１４）は、上部で前記中心シャフト（１）の内部の中空空間を画定し、前記中空空間はさらに底部で前記下部スラブ（４）によって範囲を限定され、かつバラスト材料（２１）を充填され得ることとを特徴とする、請求項１に記載のタワー用基礎システム。
【請求項７】
前記上部閉鎖スラブ（１４）の高さ位置または高度は、ストラット（２）の前記上端と前記中心シャフト（１）とを連結する少なくとも１つの取付部の高さ位置または高度と基本的に一致することを特徴とする、請求項６に記載のタワー用基礎システム。
【請求項８】
ストラット（２）（または前記ストラット（２）を含む一体化支持部片（１５））と、前記中心シャフト（１）および／または前記タワー（２４）および／または前記下部スラブ（４）および／またはリブ（３）および／または周縁梁（９）との間の少なくとも１つの取付部は、プレストレスシステムを含むことを特徴とする、請求項１〜５のいずれか一項に記載のタワー用基礎システム。
【請求項９】
ストラット（２）（一体化支持部片（１５）を形成するかどうかに係わらない）と前記中心シャフト（１）とを取り付けるための前記プレストレスシステムは、前記ストラット（２）の前記長手軸に基本的に平行である前記ストラット（２）のシース（６）に一部が収容される少なくとも１つのプレストレスケーブル（５）を含むことと、前記プレストレスケーブル（５）は、前記ストラット（２）と前記中心シャフト（１）とを連結する取付部の面に交差して、前記中心シャフト（１）の内部に入ることとを特徴とする、請求項８に記載のタワー用基礎システム。
【請求項１０】
前記プレストレスケーブル（５）は、前記ストラット（２）を長手方向に横断し、かつ前記ストラット（２）（または前記ストラット（２）を含む前記一体化支持部片）の前記下端を前記基礎システムの少なくとも１つの下部要素（３９）に取り付けるために使用されることを特徴とする、請求項９に記載のタワー用基礎システム。
【請求項１１】
ストラット（２）（または前記ストラット（２）を含む一体化支持部片（１５））の前記下端は、取付部を介して（前記下部スラブ（４）、リブ（３）、または周縁梁（９）であることができる）前記基礎システムの少なくとも１つの下部要素（３９）に連結され、
およびプレストレスシステムは、前記ストラット（２）の前記長手軸に基本的に平行である前記ストラット（２）のシース（６）に一部が収容される少なくとも１つのプレストレスケーブル（５）を含むことを特徴とし、かつ前記プレストレスケーブル（５）は、前記下部構造要素（３９）と前記ストラット（２）の前記下端との間（または前記下部構造要素と前記ストラット（２）を含む前記一体化支持部片（１５）との間）の取付部の面に交差して、前記下部構造要素（３９）に入ることを特徴とし、かつ前記プレストレスケーブルの前記下端の前記アンカー（２３）は、前記基礎システムの下部構造要素（３９）に収容されることを特徴とする、請求項８または１０に記載のタワー用基礎システム。
【請求項１２】
請求項１〜１１のいずれか一項に記載の基礎システムを採用する風力タービンおよび／またはウインドタワー。
【請求項１３】
請求項１〜１１のいずれか一項に記載のタワー用基礎システムを設置する方法において、任意の技術的に可能な順番で、
ａ）基礎を支持するために前記地盤を掘削および造成するステップと、
ｂ）分離された要素または事前に組み立てられたモジュールもしくは鉄筋ケージ（アーマ）のいずれかによって、前記下部スラブを含む受動および／または能動（プレストレスト）アーマを配置するステップと、
ｃ）前記中心シャフトの少なくとも一部を構築または設置するステップと、
ｄ）前記下部スラブが完全に埋設されるまで、前記下部スラブ上に土を充填するステップと
を含み、ステップｃ）の後におよび任意の順番で、
ｅ）前記中心シャフト（１）を前記下部スラブ（４）と連結するステップと、
ｆ）前記タワー（２４）を前記中心シャフト（１）と連結するステップと、
ｇ）前記ストラット（２）を前記中心シャフト（１）または前記タワー（２４）と連結するステップと
をさらに含むことを特徴とし、かつステップｇ）の前に、
ｈ）前記ストラット（２）（または前記ストラット（２）を形成する一体化支持部片（１５））と、存在する場合にはリブ（３）または周縁梁（９）とを構築するか、または取り付けるステップ
をさらに含むことを特徴とし、かつステップｂ）の後でおよびステップｄ）の前に、
ｉ）前記下部スラブをコンクリート打ちするステップ
をさらに含む、方法。
【請求項１４】
少なくとも１つの既製要素（ストラット（２）、リブ（３）、周縁梁（９）、一体化支持部片（１５）、または前記中心シャフト（１）の既製部分（１３、１４、１９）のいずれか）を含むタワー用基礎システムの、請求項１３に記載の設置方法において、ステップｄ）の前に、
ｊ）前記基礎システムの少なくとも１つの既製要素を事前に作製し、および現場に輸送するステップ
をさらに含むことを特徴とする、設置方法。
【請求項１５】
前記下部スラブの下に配置されたリブ（３）および／または周縁梁（９）を含むタワー用基礎システムの、請求項１３に記載の設置方法において、ステップｉ）の前に、
ｍ）リブ（３）または周縁梁（９）を受け入れるために、前記基礎システムの掘削底部に少なくとも１つの溝（３３）を掘削するステップであって、前記溝は、前記リブ（３）または周縁梁（９）が現場打ちコンクリートで構築される場合に、前記地盤に対する型枠として機能することができる、ステップ
をさらに含むことを特徴とする、設置方法。
【請求項１６】
既製リブ（３）（または前記リブ（３）を含む既製一体化部片（１５））と、厚肉の中心領域（２７）を有する下部スラブ（４）または現場打ちコンクリートで構築された中心シャフト（１）とを含むタワー用基礎システムの、請求項１３に記載の設置方法において、ステップｉ）の前に、
ｎ）厚肉部を有する前記中心領域（２７）（または現場打ちコンクリートで構築された前記中心シャフト（１））で横型枠として機能し、およびそのときに前記リブ（３）（または前記リブ（３）を含む既製一体化部分（１５））の既製部片を位置決めおよび／または固定するためのテンプレート要素として機能するテンプレート型枠（２８）を配置するステップ
をさらに含むことを特徴とする、設置方法。
【請求項１７】
少なくとも１つのストラット（２）（または前記ストラット（２）を組み込んだ一体化支持部片（１５））を前記中心シャフト（１）と、前記基礎システムの少なくとも１つの下部要素（３９）（前記下部スラブ（４）、リブ（３）、または周縁梁（９）のいずれか）とに連結するためのプレストレスシステムを含むタワー用基礎システムの、請求項１３に記載の設置方法であって、前記プレストレスシステムは、少なくとも、
−  プレストレスケーブル（５）であって、設置状態で前記ストラット（２）を長手方向に横断し、それにより、前記プレストレスケーブル（５）の上端が前記ストラットから突出し、かつ前記中心シャフト（１）および／または前記中心シャフト（１）の前記上部閉鎖スラブ（１４）内に入り、および前記プレストレスケーブル（５）の下端が前記ストラット（２）から突出し、かつ前記基礎システムの下部要素（３９）内に入る、プレストレスケーブル（５）と、
−  前記ストラット（２）を長手方向に横断し、かつ最終状態で前記プレストレスケーブル（５）の一部を収容するシース（６）と、
−  前記中心シャフト（１）または前記中心シャフト（１）の上部閉鎖スラブ（１４）に配置される、前記プレストレスケーブル（５）の前記上端のアンカー（２３）と、
−  １つまたは複数の整列部を有し、前記ストラット（２）の前記上端から前記中心シャフト（１）および／または前記上部閉鎖スラブ（１４）通って前記アンカー（２３）に至るプレストレスケーブル（５）の通過を可能にするシース（７）と、
−  前記基礎システムの下部要素（３９）に配置される、前記プレストレスケーブル（５）の前記下端のアンカー（２９）と、
−  １つまたは複数の整列部を有し、前記ストラット（２）の前記下端から（一体化支持部片（１５）で前記ストラットと一体化されてもまたはされなくてもよい）前記基礎システムの少なくとも１つの下部要素（３９）を通って前記アンカー（２９）に至る前記プレストレスケーブル（５）の通過を可能にするシース（８）と
を含む、設置方法において、ステップｈ）の後、
ｑ）前記プレストレスケーブル（５）を上から下にまたは下から上にのいずれかで、前記ケーブルが横断する前記要素に設けられた前記シース（６、７、８）に通すステップと、
ｒ）前記プレストレスケーブル（５）を前記アンカー（２３、２９）の一方に固定し、前記プレストレスケーブル（５）に張力をかけ、および次いで他方のアンカー（２３、２９）を固定するステップと、
ｓ）任意選択的に、前記プレストレスケーブル（５）を保護するための、および／または前記プレストレスケーブル（５）が横断する前記要素に前記プレストレスケーブル（５）を固着させるための材料を、シース（６、７、８）の少なくとも一部に充填するステップと
をさらに含むことを特徴とする、設置方法。